(57)【要約】【課題】この発明はベッドフレームに背上げユニットを簡単かつ確実に設けることができるようにしたベッド装置を提供することにある。【解決手段】一対の側板３の内面に受け桟６が設けられたベッドフレーム１と、支持フレーム１１及び複数の床部に分割された床板体１２を有し、床部の１つが支持フレームに固定され利用者の上半身に対応する床部が支持フレームに設けられた駆動機構３１によって起伏駆動される背上げユニット２と、受け桟に設けられた第１の係合孔２１に一端部が挿入され他端部が支持フレームに設けられた第２の係合孔に係合して支持フレームが水平方向に動くのを規制する第１の係止部材２２と、支持フレームの幅方向一側の長手方向の端部に設けられ受け桟に係合して支持フレームが浮き上がるのを規制する係合片を有する第２の係止部材２５と、支持フレームの幅方向他側の長手方向の端部に設けられ水平な状態にある床部を第２の係止部材とで支持する第３の係止部材とを具備する。【選択図】      図１
2006158779.tif 000002
【特許請求の範囲】
【請求項１】
一対の側板を有し、各側板の内面には受け桟が設けられたベッドフレームと、
上記受け桟に支持される支持フレーム及び複数の床部に分割され各床部が回動可能に連結された床板体を有し、複数の床部の１つが支持フレームに固定されているとともに少なくとも利用者の上半身に対応する床部が上記支持フレームに設けられた駆動機構によって起伏駆動される背上げユニットと、
上記受け桟の長手方向中途部に設けられた第１の係合孔に一端部が挿入され他端部が上記受け桟に支持される上記支持フレームに設けられた第２の係合孔に係合してこの支持フレームが上記ベッドフレームに対して水平方向に動くのを規制する第１の係止部材と、
上記支持フレームの幅方向一側の長手方向の端部に設けられ上記駆動機構によって起伏駆動される床部が水平な状態にあるときにその床部を支持する支持片及び上記受け桟に係合して上記支持フレームが上記受け桟から浮き上がるのを規制する第１の係合片を有する第２の係止部材と
を具備したことを特徴とするベッド装置。
【請求項２】
上記支持フレームの幅方向他側の長手方向の端部には、上記駆動機構によって起伏駆動される床部が水平な状態にあるときにその床部を上記第２の係止部材の第１の支持片とで支持する第２の支持片を有する第３の係止部材が設けられていることを特徴とする請求項１記載のベッド装置。
【発明の詳細な説明】
【技術分野】
【０００１】
この発明はベッドフレームに背上げユニットを設けることができるようにしたベッド装置に関する。
【背景技術】
【０００２】
一般に、リクライニング式のベッド装置は矩形枠状のベッドフレームを有し、このベッドフレームには上面にマットレスが載置される床板が設けられる。床板は複数の床部に分割され、そのうちの少なくとも利用者の上半身に対応する部分の床部を駆動機構によって起伏駆動できるようにしている。それによって、マットレス上に仰臥した利用者は上半身を起こし、その姿勢を楽に維持することができる。
【０００３】
ところで、リクライニング式でない、通常のベッド装置を購入した消費者はそのベッド装置をリクライニング式に変更したいことがある。しかしながら、従来ではそのような場合、ベッド装置全体を買い換えなければならないという不都合があった。
【０００４】
そこで、最近では、通常のベッド装置をリクライニング式のベッド装置に変更する場合、単にマットレスを載置するだけの通常のベッド装置の平板状の床板を、リクライニング機能を備えた背上げユニットに交換することで、リクライニング機能を備えたベッド装置に変更するということが考えられている。
【０００５】
その場合、上記背上げユニットは、ベッド装置のベッドフレームを構成する側板の内面に設けられた受け桟に係合させて載置することになる。
【発明の開示】
【発明が解決しようとする課題】
【０００６】
上記背上げユニットは、複数の床部に分割された床板体を有し、そのうちの少なくとも利用者の上半身に対応する部分を駆動機構によって起伏駆動できるようにしている。駆動機構によって床部を起伏駆動したり、その背部に利用者が寄り掛かるなどすると、背上げユニットは水平方向にずれ動いたり、回転モーメントが作用する。
【０００７】
そのため、上記背上げユニットをベッドフレームの受け桟に単に係合載置するようにしただけでは、駆動機構によって床部を起伏駆動したときに背上げユニットが受け桟上でずれ動くということがあったり、起上した床部に利用者が寄りかかると、背上げユニットが受け桟上で利用者が寄り掛かった方向に回転してしまうなどのことがあり、安定した状態で使用できないということが生じる。
【０００８】
この発明は、背上げユニットの床部を起伏したときに、ベッドフレーム上でずれ動いたり、起上した床部に利用者が寄り掛かったときに寄り掛かった方向に回転するなどのことがないよう確実に、しかも簡単に上記背上げユニットをベッドフレームに設けることができるようにしたベッド装置を提供することにある。
【課題を解決するための手段】
【０００９】
この発明は、一対の側板を有し、各側板の内面には受け桟が設けられたベッドフレームと、
上記受け桟に支持される支持フレーム及び複数の床部に分割され各床部が回動可能に連結された床板体を有し、複数の床部の１つが支持フレームに固定されているとともに少なくとも利用者の上半身に対応する床部が上記支持フレームに設けられた駆動機構によって起伏駆動される背上げユニットと、
上記受け桟の長手方向中途部に設けられた第１の係合孔に一端部が挿入され他端部が上記受け桟に支持される上記支持フレームに設けられた第２の係合孔に係合してこの支持フレームが上記ベッドフレームに対して水平方向に動くのを規制する第１の係止部材と、
上記支持フレームの幅方向一側の長手方向の端部に設けられ上記駆動機構によって起伏駆動される床部が水平な状態にあるときにその床部を支持する第１の支持片及び上記受け桟に係合して上記支持フレームが上記受け桟から浮き上がるのを規制する係合片を有する第２の係止部材と
を具備したことを特徴とするベッド装置にある。
【００１０】
上記支持フレームの幅方向他側の長手方向の端部には、上記駆動機構によって起伏駆動される床部が水平な状態にあるときにその床部を上記第２の係止部材の第１の支持片とで支持する第２の支持片を有する第３の係止部材が設けられていることが好ましい。
【発明の効果】
【００１１】
この発明によれば、背上げユニットの支持フレームは、受け桟に設けられた第１の係合孔と、支持フレームに設けられた第２の係合孔とに係合した第１の係止部材によって水平方向にずれ動くのが規制され、支持フレームに設けられ受け桟の下面に係合する第２の係止部材によって回転方向に動くのが規制される。そのため、背上げユニットをベッドフレームに安定した状態で確実に支持することが可能となる。
【発明を実施するための最良の形態】
【００１２】
以下、この発明の一実施の形態を図面を参照して説明する。
【００１３】
図１と図２はベッド装置を示し、このベッド装置はベッドフレーム１と、このベッドフレーム１に着脱可能に支持される背上げユニット２を備えている。図１はベッドフレーム１と背上げユニット２とを分解した側面図で、図２はベッドフレーム１に半断面した背上げユニット２が支持された状態の平面図である。
【００１４】
上記ベッドフレーム１は所定間隔で平行に離間対向した一対の側板３を有する。これら側板３の長手方向一端はヘッドボード４に連結固定され、他端はフットボード５に連結固定されている。各側板３の内面には長手方向ほぼ全長にわたって受け桟６が設けられている。
【００１５】
上記背上げユニット２は上記受け桟６によって支持されてベッドフレーム１に着脱可能に設けられる。すなわち、上記背上げユニット２は支持フレーム１１を有し、この支持フレーム１１には床板体１２が設けられている。
【００１６】
上記支持フレーム１１は角パイプによって形成された直線状の一対の側部材１３を有する。上記床板体１２は複数の床部、この実施の形態では固定床部１４、この固定床部１４の一側に回動可能に連結された背床部１５及び他側に順次回動可能に連結された第１の脚床部１６及び第２の脚床部１７の４つの床部に分割されている。各床部１４〜１７はフレーム１４ａ〜１７ａ及び各フレーム内に格子状に張設された金属ワイヤ１４ｂ〜１７ｂによって形成されている。
【００１７】
上記一対の側部材１３の長手方向中央部の内面には、それぞれ図３に示すように側面形状がＬ字状の固定用連結部材１８が垂直な一辺を溶接などによって固定して設けられている。この固定用連結部材１８の他辺には上記固定床部１４のフレーム１４ａが幅方向両側をねじ１９によって固定して設けられる。
【００１８】
それによって、上記一対の側部材１３の間隔が設定されている。つまり、一対の側部材１３は上記ベッドフレーム１の一対の側板３の内面に設けられた一対の受け桟６とほぼ同じ間隔に設定されている。
【００１９】
そして、上記支持フレーム１１は図３乃至図５に示すように一対の側部材１３を一対の受け桟６上に係合させて載置される。図３に示すように、上記受け桟６の長手方向中央部には角溝からなり、この角溝の開放した側面が側板３の内面によって閉塞された第１の係合孔２１が形成されている。この第１の係合孔２１には薄肉部と厚肉部とを有する第１の係止部材２２がその薄肉部を挿入して設けられる。
【００２０】
なお、一対の第１の係合孔２１は通常のベッド装置において、線材からなる反り止め防止部材（図示せず）がＬ字状に折曲された両端部を係合させて設けられる。それによって、ベッドフレーム１の一対の側板３が幅方向外方に反るのを防止するようになっている。つまり、第１の係合孔２１は通常のベッド装置のベッドフレーム１に予め形成されており、その第１の係合孔２１を利用して背上げユニット２が水平方向にずれ動くのを制限している。
【００２１】
上記受け桟６に載置される支持フレーム１１の側部材１３の長手方向中央部には第２の係合孔２３が下面に開口して形成されている。支持フレーム１１の一対の側部材１３を受け桟６に係合載置すると、図３に示すように上記第１の係合部２１に薄肉部を挿入した第１の係止部材２２の受け桟６の上面から突出した厚肉部が上記第２の係合孔２３に係合する。それによって、支持フレーム１１は受け桟６上で水平方向にずれ動くのが制限される。
【００２２】
上記支持フレーム１１の一対の側部材１３の一方の長手方向両端部の内面には一対の第２の係止部材２５が設けられ、他方の側部材１３の長手方向両端部の内面には一対の第３の係止部材２６が設けられている。
【００２３】
一方の側部材１３に設けられた一対の第２の係止部材２５は図４（ａ），（ｂ）に示すように下端部をＬ字状に曲成することで係合片２５ａに形成された取り付け片２５ｂを有し、この取り付け片１５ｂの下端部にはチャンネル材からなる第１の支持片２５ｃが一端を固着して設けられている。第１の支持片２５ｃの他端部上面には合成樹脂などによって形成された受け具２７がねじ２８によって固定して設けられている。
【００２４】
他方の側部材１３に設けられた一対の第３の係止部材２６は、図５に示すように一方の側部材１３に設けられた第２の係止部材２６とほぼ同じであるが、取付け片２５ｂの下端部に係合片２５ａが設けられていないという点だけが相違している。なお、第３の係止部材２６の支持片を第２の支持片２５ｃとする。
【００２５】
各一対の第２、第３の係止部材２５，２６は支持フレーム１１の側部材１３の内面に取付け片２５ｂをねじ２９によって固定して設けられる。そして、一方の側部材１３に設けられる一対の第２の係止部材２５は取付け片２５ｂの下端部に形成された係合片２５ａを受け桟６の下面に係合させる。それによって、支持フレーム１１の側部材１３は受け桟６から浮き上がることがないよう保持される。
【００２６】
そして、上記支持フレーム１１の長手方向一端部に位置する第２、第３の係止部材２５，２６の第１、第２の支持片２５ｃに設けられた受け具２７は、水平に倒伏した状態にある背床部１５のフレーム１５ａの幅方向両端部の下面を支持する。支持フレーム１１の長手方向他端部に位置する第２、第３の係止部材２５，２６の第１、支持片２５ｃに設けられた受け具２７は、水平に倒伏した状態にある第２の脚床部１７のフレーム１７ａの幅方向両端部の下面を支持する。
【００２７】
すなわち、第２、第３の係止部材２５，２６は、支持フレーム１１に設けられた床板体１２の固定床部１４の一端と他端とにそれぞれ回動可能に連結された背床部１５及び第２の脚床部１７を水平な状態で支持する。
【００２８】
なお、支持フレーム１１を受け桟６に係合載置する場合、後述するように一方の側部材１３からは第２の係止部材２５を取り外しておき、他方の側部材１３だけに一対の第３の係止部材２６を取り付けておく。そして、支持フレーム１１を受け桟６上に載置した後、一方の側部材１３に第２の係止部材２５を、その下端の係合片１５ａを受け桟６の下面に係合させてねじ２９により取り付ける。
【００２９】
上記支持フレーム１１の一対の側部材１３間には上記背床部１５と第１、第２の脚床部１６，１７を起伏駆動する駆動機構３１が設けられる。この駆動機構３１は図１と図２に示すように、減速機などの動力伝達機構（図示せず）が内蔵されたケース３２を有する。このケース３２の一端部には第１の回転軸３３が設けられ、他端部には第２の回転軸３４が第１の回転軸と軸線を平行にして設けられている。
【００３０】
第１の回転軸３３は上記ケース３２の一側面に設けられた第１の駆動源３５によって正逆方向に回転駆動され、第２の回転軸３４は上記ケース３２の他側面に設けられた第２の駆動源３６によって正逆方向に回転駆動されるようになっている。
【００３１】
第１、第２の回転軸３３，３４の両端部は、図１に示すように上記支持フレーム１１の一対の側部材１３の内面に設けられた軸受３７によって回転可能に支持されている。第１の回転軸３３の両端部には先端にローラ３８が設けられた一対の第１のアーム３９の基端が固着されている。
【００３２】
上記第１のアーム３９のローラ３８は、図１に示すように背床部１５のフレーム１５ａの両側下面に対向位置している。したがって、上記第１の回転軸３３は回転駆動されて第１のアーム３９が実線で示す倒伏位置から鎖線で示す起立方向に回転すれば、その回転に連動して背床部１５が起上する。
【００３３】
上記第２の回転軸３４の両端部には先端にローラ４１が設けられた一対の第２のアーム４２の基端が固着されている。第２のアーム４２のローラ４１は第１の脚床部１６のフレーム１６ａの幅方向両側下面に対向位置している。
【００３４】
したがって、第２の回転軸３４が回転駆動されて第２のアーム４２が図１に実線で示す倒伏状態から鎖線で示す起立方向に回転すれば、上記第１の脚床部１６が水平に倒伏した状態から起立方向に起上する。
【００３５】
第１の脚床部１６には第２の脚床部１７が一端を回動可能に連結されている。したがって、第１の脚床部１６が起立方向に回動すると、この回動に第２の脚床部１７が連動する。第２の脚床部１７の一端にはリンク４３の一端が回動可能に連結されている。このリンク４３の他端は支持フレーム１１の側部材１３に回動可能に連結されている。そのため、第２の脚床部１７は第１の脚床部１６に連動して回動すると、その回動に連動するリンク４３によって他端が支持される。
【００３６】
なお、図示しないが、上記床板体１２の上面には背床部１５や第１、第２の脚床部１６，１７の起伏に応じて屈曲可能なマットレスが載置され、このマットレス上に利用者が仰臥するようになっている。
【００３７】
このような構成のベッド装置において、ベッドフレーム１に平板状の床板（図示せず）に代えて背上げユニット２を設ける場合、上記床板をベッドフレーム１から取り外したならば、受け桟６に設けられた第１の係合孔２１に第１の係止部材２２の一端部を係合させて設ける。
【００３８】
ついで、上記背上げユニット２の支持フレーム１１を構成する一対の側部材１３のうち、一方の側部材１３に設けられる係合片２５ａを有する第２の係止部材２５が取り外され、他方の側部材１３に第３の係止部材２６を取り付けられた状態で、上記支持フレーム１１を受け桟６に係合載置する。
【００３９】
このとき、上記第１の係止部材２２の受け桟６の上面に突出した他端部を、上記支持フレーム１１の一対の側部材１３の下面に開口して形成された第２の係合孔２３に係合させる。それによって、支持フレーム１１は上記第１の係止部材２２によってベッドフレーム１上で水平方向にずれ動くことなく支持される。
【００４０】
支持フレーム１１を受け桟６上に載置したならば、一方の側部材１３の両端部に、係合片２５ａを有する第２の係止部材２５をねじ２９によって取り付け固定する。そのとき、上記係合片２５ａを図４（ａ）に示すように受け桟６の下面に係合させる。それによって、一方の側部材１３の一端部と他端部とが受け桟６の上面から浮き上がるのが阻止される。
【００４１】
また、第２の係止部材２５の第１の支持片２５ｃによって背床部１５の幅方向の一端部の下面と、第２の脚床部１７の幅方向の一端部の下面を支持する。それによって、背床部１５は幅方向一端と他端とが第２、第３の係止部材２５，２６の第１、第２の支持片２５ｃによって水平に保持され、第２の脚部材１７も同様に幅方向一端部と他端部とが支持されて水平に保持される。つまり、複数の床部に分割された床板体１２を、各床部が水平になるよう支持することができる。
【００４２】
このようにして背上げユニット２をベッドフレーム１に設けるようにすれば、この背上げユニット２の支持フレーム１１は受け桟６上で水平方向、とくにベッドフレーム１の長手方向に沿ってずれ動くことがないばかりか、長手方向の一端部と他端部とが受け桟６から浮き上がることも防止される。
【００４３】
そのため、駆動機構３１を作動させて背床部１５や第１、第２の脚床部１６，１７を起上させることで、支持フレーム１１が回動する第１、第２のアーム３９，４２から水平方向の分力を受けても、この支持フレーム１１が受け桟６上で水平方向にずれ動くことがない。
【００４４】
利用者が起上した背床部１５に寄り掛かったり、第１、第２の脚床部１６，１７に脚部を載せるなどすると、支持フレーム１１には起上した各床部１５，１６，１７を倒伏させる方向の回転力が作用する。しかしながら、支持フレーム１１は受け桟６に係合した第２の係止部材２５の係合片２５ｃによって受け桟６上で回転方向に浮き上がるのが阻止される。
【００４５】
したがって、ベッドフレーム１に設けられた床板を背上げユニット２に交換した場合、この背上げユニット２を安定した状態で確実に使用することができる。しかも、その際の作業は、第１の係止部材２２を受け桟６と側部材１３とに係合させるとともに、一方の側部材１３に第２の係止部材２５を取り付けるだけであるから、その作業を容易かつ迅速に行うことができる。
【００４６】
上記第１の係止部材２２は、通常のベッド装置の受け桟６に形成されている第１の係合孔２１を利用して取り付けるようにしている。そのため、背上げユニット２をベッドフレーム１に水平方向に移動しないよう設けるために、ベッドフレーム１になんら加工する必要がない。つまり、通常のベッド装置のベッドフレーム１に設けられた第１の係合孔２１を有効に利用することができる。
【００４７】
上記一実施の形態では係合片を有する第２の係止部材を支持フレームの一方の側部材の長手方向両端部に設けるようにしたが、長手方向の一端部、とくに支持フレームに受け桟から浮き上がる回転力が作用し易い背床部側の一端部だけに係合片を有する第２の係止部材を設けるようにしてもよい。
【００４８】
また、駆動機構によって背床部だけでなく、床板体の第１、第２の脚床部も起伏駆動できる構成の背上げユニットを例に挙げて説明したが、脚床部が設けられずに、背床部だけが起伏可能に設けられた構成の背上げユニットであっても、この発明を適用することができる。
【図面の簡単な説明】
【００４９】
【図１】この発明の一実施の形態を示すベッド装置のベッドフレームと背上げユニットを分解した側面図。
【図２】床板体の半分を除去したベッド装置の平面図。
【図３】第１の係止部材によって支持フレームの側部材と受け桟とが連結された部分の断面図。
【図４】（ａ）は一方の側部材に設けられる係合片を有する第２の係止部材の断面図、（ｂ）は同じく正面図。
【図５】他方の側部材に設けられる第２の係止部材の断面図。
【符号の説明】
【００５０】
１…ベッドフレーム、２…背上げユニット、３…側板、６…受け桟、１１…支持フレーム、１２…床板体、１３…側部材、１４…固定床部、１５…背床部、１８…固定用連結部材、２１…第１の係合孔、２２…第１の係止部材、２３…第２の係合孔、２５…第２の係止部材、２６…第３の係止部材、３１…駆動機構。
【図１】
2006158779.tif 000003
【図２】
2006158779.tif 000004
【図３】
2006158779.tif 000005
【図４】
2006158779.tif 000006
【図５】
2006158779.tif 000007